(57)【要約】【課題】弁開度指示装置から弁開度を読み取り、この弁開度と仕様書などの流量特性曲線から概算で流量を求めているため、流量の確認作業が煩雑となるのみならず、正確な流量を把握できないという課題があった。【解決手段】弁本体１０に弁棒１１の移動量に連動して移動する指針１５と、この指針１５の位置から弁体１２の開度を読み取る弁開度指示目盛盤１を設け、前記弁開度指示目盛盤１に前記弁体１２の流量特性に基づいて弁開度に対応する流量目盛３を設けた流量読み取り装置。【選択図】図１
2008169905.tif 000002
【特許請求の範囲】
【請求項１】
弁本体に弁棒の移動量に連動して移動する指針と、この指針の位置から弁体の開度を読み取る弁開度指示目盛盤を設け、前記弁開度指示目盛盤に前記弁体の流量特性に基づいて弁開度に対応する流量目盛を設けた流量読み取り装置。
【請求項２】
流量計で前記弁体の複数の弁開度における流量を測定し、測定した流量と弁開度の関係から前記弁体の流量特性を求めた請求項１に記載の流量読み取り装置。
【請求項３】
弁本体の弁棒の移動量に連動して移動する指針と、この指針の位置から弁体の開度を読み取る弁開度指示目盛盤を設けた弁本体において、流量計で前記弁体の複数の弁開度における流量を測定する手段と、測定した流量と弁開度の関係から前記弁体の流量特性を求める手段と、該流量特性に基づいて前記弁開度指示目盛盤に弁開度に対応する流量目盛を刻印する手段とからなる流量読み取り装置の製造方法。
【請求項４】
前記弁本体の前後に設けた圧力計の差圧により複数の弁開度における流量を測定するようにした請求項３に記載の流量読み取り装置の製造方法。
【発明の詳細な説明】
【技術分野】
【０００１】
本発明は、弁体の開度に対応した流体の流量を読み取る流量読み取り装置及びその製造方法に関する。
【背景技術】
【０００２】
従来、管路に設置される流量調節弁の弁開度の確認は、弁棒の位置又は開度指示装置によって行っている。一方、流体の流量は、管路に流量調節弁とは別に設置している流量発信器の指示で確認している。開度指示装置は、弁棒と共に移動する移動部材と、この移動部材の移動に伴って支点ピンを回動中心として回動し、弁棒の移動量を拡大して指示する指針と、この指針の回動量を弁体の開度に変換して読み取らせる開度指示目盛を設けたものが知られている（例えば、特許文献１参照）。
【０００３】
【特許文献１】実開平５−４７６６１号公報
【発明の開示】
【発明が解決しようとする課題】
【０００４】
しかし、流量発信器の設置していない場所での流量確認は、開度指示装置で弁開度を読み取り、読み取った弁開度と該当する弁の仕様書等に記載されている流量特性曲線から概算で流量を求める必要があった。このため、流量の確認作業が煩雑となるのみならず、流量などの使用状態によっては実際の流量特性が弁の仕様書等に記載されている流量特性曲線と相違する場合があり、正確な流量を把握できないという課題があった。
【課題を解決するための手段】
【０００５】
そこで、本発明は、上記課題を解決するために、弁本体に弁棒の移動量に連動して移動する指針と、この指針の位置から弁体の開度を読み取る弁開度指示目盛盤を設け、前記弁開度指示目盛盤に前記弁体の流量特性に基づいて弁開度に対応する流量目盛を設けた流量読み取り装置を提供するものである。
【０００６】
また、本発明は、流量計で前記弁体の複数の弁開度における流量を測定し、測定した流量と弁開度の関係から前記弁体の流量特性を求めた請求項１に記載の流量読み取り装置を提供するものである。
【０００７】
また、本発明は、弁本体の弁棒の移動量に連動して移動する指針と、この指針の位置から弁体の開度を読み取る弁開度指示目盛盤を設けた弁本体において、流量計で前記弁体の複数の弁開度における流量を測定する手段と、測定した流量と弁開度の関係から前記弁体の流量特性を求める手段と、該流量特性に基づいて前記弁開度指示目盛盤に弁開度に対応する流量目盛を刻印する手段とからなる流量読み取り装置の製造方法を提供するものである。
【０００８】
また、本発明は、前記弁本体の前後に設けた圧力計の差圧により複数の弁開度における流量を測定するようにした請求項３に記載の流量読み取り装置の製造方法を提供するものである。
【発明の効果】
【０００９】
本発明に係る流量読み取り装置によれば、弁本体に弁棒の移動量に連動して移動する指針と、この指針の位置から弁体の開度を読み取る弁開度指示目盛盤を設け、前記弁開度指示目盛盤に前記弁体の流量特性に基づいて弁開度に対応する流量目盛を設けた構成を有することにより、弁開度と流量特性曲線を対比することなく、弁本体が設置された現場で流体の流量を把握できるから、現場で流量を確認しながら弁開度を調節することができる。また、弁開度目盛と流量目盛を併記することにより、この弁体の流量特性や弁の形状も把握することができる効果がある。
【００１０】
また、本発明は、流量計で前記弁体の複数の弁開度における流量を測定し、測定した流量と弁開度の関係から前記弁体の流量特性を求めた請求項１に記載の構成を有することにより、実際の使用状態に合った弁体の流量特性を求めることができ、流体の流量を正確に把握することができる効果がある。
【００１１】
また、本発明に係る流量読み取り装置の製造方法によれば、弁本体の弁棒の移動量に連動して移動する指針と、この指針の位置から弁体の開度を読み取る弁開度指示目盛盤を設けた弁本体において、流量計で前記弁体の複数の弁開度における流量を測定する手段と、測定した流量と弁開度の関係から前記弁体の流量特性を求める手段と、該流量特性に基づいて前記弁開度指示目盛盤に弁開度に対応する流量目盛を刻印する手段とからなる構成を有することにより、実際の使用状態に合った弁体の流量特性を求めることができ、この流量特性から簡便で精度の高い流量読み取り装置を得ることができる。従って、弁開度と流量特性曲線を対比することなく、弁本体が設置された現場で流体の流量を把握できるから、現場で流量を確認しながら弁開度を調節することができる効果がある。
【００１２】
また、本発明は、前記弁本体の前後に設けた圧力計の差圧により複数の弁開度における流量を測定するようにした請求項３に記載の構成を有することにより、流量計を備えていない管路でも弁本体の前後の差圧から流体の流量を測定することができる効果がある。
【発明を実施するための最良の形態】
【００１３】
本発明の実施の形態を図示する実施例に基づいて説明する。
本発明に係る流量読み取り装置は、弁本体１０に弁棒１１の移動量に連動して移動する指針１５と、この指針１５の位置から弁体１２の開度を読み取る弁開度指示目盛盤１を設け、前記弁開度指示目盛盤１に前記弁体１２の流量特性に基づいて弁開度に対応する流量目盛３を設けてある。
【実施例１】
【００１４】
図示の実施例において、図１は、ダイヤフラム式調節弁を示している。弁本体１０は、管路２０の上流側と下流側を仕切る弁座１３と、弁体１２と、弁棒１１とから構成してある。弁座１３には弁ポート１４を形成してあり、管路２０の軸心と直交する方向に弁体１２を出退して弁ポート１４を開閉することができるようにしてある。弁体１２には、弁体１２を開閉駆動する弁棒１１を連結してあり、ダイヤフラム１６で弁棒１１の出退量を調節して弁開度を調節することができるようにしてある。
【００１５】
図１に示す実施例において、弁棒１１には、弁棒１１の移動量に連動して移動する指針１５を設けてあり、弁本体１０には、指針１５の位置から弁体１２の開度を読み取る弁開度指示目盛盤１を設けてある。また、指針１５は、弁棒１１に弁棒１１と共に移動する移動部材を備え、この移動部材の移動に伴って支点ピンを回動中心として回動し、弁棒１１の移動量を拡大して指示することができるように構成してあることが好ましい。
【００１６】
図２及び図３は、弁開度指示目盛盤１を拡大して示している。弁開度指示目盛盤１には、弁開度目盛２と流量目盛３を併記してあり、指針１５の位置から流体の流量を読み取ることができるように構成してある。流量目盛３は、図４に示す弁体１２の流量特性曲線に基づいて弁開度目盛に対応して刻印してある。弁体の流量特性は、弁体１２の形状等により、図４に示すように、リニア特性（図中の直線ａ）と、イコールパーセント特性（図中の曲線ｂ）と、クイックオープン特性（図中の曲線ｃ）に分類される。一般的に、流量制御用としてはリニア特性、イコールパーセント特性、又はこの中間の特性の調節弁が用いられる。
【００１７】
図２は、リニア特性の弁体の流量目盛３を併記した弁開度指示目盛盤１を示し、図３は、イコールパーセント特性の弁体の流量目盛３を併記した弁開度指示目盛盤１を示している。流量目盛３は、予め測定されて弁の仕様書等に記載された弁体１２の流量特性曲線に基づいて弁開度指示目盛盤１に刻印することができる。また、流量目盛３は、目盛の精度を向上することができるから、弁本体１０を管路２０に設置した状態において、流量計で弁体１２の複数の弁開度における流量を測定し、測定した流量と弁開度の関係から弁体１２の流量特性を求め、この流量特性に基づいて弁開度指示目盛盤１に刻印することが好ましい。
【００１８】
図５は、流量測定装置の一実施例を示す構成図である。４は圧力計であり、弁本体１０の上流側と下流側の管路２０に設けてある。５は流量測定装置であり、圧力計４，４で測定した弁本体１０の前後の差圧により流体の流量を測定することができるようにしてある。また、流量測定装置５は、複数の弁開度における流量を測定して弁体１２の流量特性を求めることができるように構成してある。
【００１９】
なお、本発明に係る流量読み取り装置は、図示の実施例のように、弁本体１０が弁棒１１を出退して弁開度を調節する構成のものに限らず、弁棒１１を回転して弁開度を調節する構成のもの等にも使用することが可能である。
【図面の簡単な説明】
【００２０】
【図１】本発明に係る流量読み取り装置の一実施例を示す正面図。
【図２】その実施例の要部を示す正面図。
【図３】他の実施例の要部を示す正面図。
【図４】弁体の流量特性を示す図。
【図５】流量測定装置の一実施例を示す構成図。
【符号の説明】
【００２１】
１  弁開度指示目盛盤
２  弁開度目盛
３  流量目盛
４  圧力計
５  流量測定装置
１０  弁本体
１１  弁棒
１２  弁体
１３  弁座
１４  弁ポート
１５  指針
１６  ダイヤフラム
２０  管路
【図１】
2008169905.tif 000003
【図２】
2008169905.tif 000004
【図３】
2008169905.tif 000005
【図４】
2008169905.tif 000006
【図５】
2008169905.tif 000007